(57)【要約】【課題】遊技盤保持部材で遊技盤を保持すると同時にファール球が発射位置へ戻るのを防止することができる遊技機を提供する。【解決手段】遊技領域５ａが形成される遊技盤５を装着する内枠３と、遊技盤５を保持する位置と解除する位置とを選択可能な遊技盤保持部材１３を備え、内枠３の前面には発射位置Ｈの遊技球を遊技領域５ａに向けて発射する球発射装置７と、球発射装置７によって発射される遊技球を案内可能な発射レール２７と、ファール球を受け入れるファール口２９を設け、遊技盤保持部材１３は遊技盤５を保持する遊技盤固定部３６と、ファール球をファール口２９に案内する戻り球阻止部３７とを備えて発射レール２７の先端側上方に設けられ、遊技盤保持部材１３が遊技盤５を保持する形態のとき、戻り球阻止部３７によってファール球をファール口２９に案内して発射位置Ｈに戻るのを阻止するようにした。【選択図】  図５
2011188973.tif 000002
【特許請求の範囲】
【請求項１】
発射位置から発射された遊技球が通過する発射領域及び該発射領域から放出された遊技球が流下する遊技領域がガイドレールにより形成される遊技盤と、該遊技盤が装着される内枠とを備え、
前記内枠は、遊技盤を前面側から装着する遊技盤装着部と、該遊技盤装着部への遊技盤の装着を可能とする遊技盤装着可能形態と遊技盤装着部に装着された遊技盤を保持する遊技盤保持形態とを切替可能である遊技盤保持部材を備える遊技機であって、
前記内枠の前面には、発射位置の遊技球を前記遊技領域へ発射する球発射装置と、該球発射装置によって発射された遊技球を前記発射領域に向けて案内可能な発射レールと、前記球発射装置により発射されたにもかかわらず前記遊技領域に到達しなかったファール球を受け入れるファール口が設けられ、
前記遊技盤保持部材は、前記遊技盤装着部に装着された遊技盤の盤面と当接し該遊技盤を保持する遊技盤固定部と、前記遊技盤の盤面と交差する方向に所定の高さを有し前記ファール球が前記発射位置に戻るのを阻止して前記ファール口に案内する戻り球阻止部とを備え、
前記遊技盤保持部材が遊技盤保持形態のとき、前記戻り球阻止部は前記ファール口の近傍であり前記発射レールの先端側上方に位置し、前記球発射装置により発射された遊技球の通過を許容すると共に、ファール球を前記ファール口に案内して前記発射位置に戻るのを阻止するようにしたことを特徴とする遊技機。
【請求項２】
前記内枠には、前記遊技盤保持部材が遊技盤装着部への遊技盤の装着を可能とする遊技盤装着可能形態と装着された遊技盤を保持する遊技盤保持形態との位置で当接し位置決めする規制部を設けた請求項１記載の遊技機。
【請求項３】
前記遊技盤保持部材は前記内枠に回動自在に設けられ、前記戻り球阻止部は前記遊技盤保持部材の回動軸を中心とした円弧状に形成される請求項１又は２記載の遊技機。
【請求項４】
前記遊技盤保持部材が遊技盤保持形態のとき、前記戻り球阻止部と前記ガイドレールとの最短間隔が遊技球の直径よりも小さくなる請求項１乃至３のいずれかに記載の遊技機。
【発明の詳細な説明】
【技術分野】
【０００１】
本発明は、内枠に遊技盤を着脱自在に装着する遊技機に関する。
【背景技術】
【０００２】
従来、ぱちんこ機等の遊技機は、ガイドレールにより遊技領域が形成された遊技盤が内枠に着脱自在に設けられている。この内枠は、遊技盤を着脱可能に支持する遊技盤支持枠と、遊技盤を遊技盤支持枠に固定するための複数の固定部材とを備え、固定部材は遊技盤を遊技盤支持枠に固定する固定位置と、固定を解除する固定解除位置との間で移動可能としている（特許文献１参照）。
【０００３】
また、内枠の前面側には発射レールを備えた球発射装置が設けられ、球発射装置から発射された球が発射レールからガイドレールを介して遊技領域内に飛出す。しかし、遊技領域に飛び出すことができずにガイドレールを逆流するファール球は、ガイドレールと発射レールとの間に形成されたファール口から落下して球受皿に排出される。しかし、ファール球がガイドレールを戻る際に球発射装置から発射された後続の遊技球と衝突すると、後続の発射された遊技球はファール口から回収されずに発射レール側に戻ることがあり、戻った遊技球はさらに後続の発射された遊技球と連続的に衝突して発射ミスを繰り返し遊技球が発射できなくなる。そこで、遊技盤側の発射レールの終端側上方にガイドレールから発射レールへのファール球を阻止する逆流防止装置を設け、ファール球が発射レールへ戻るのを阻止する遊技機が提案されている（特許文献２参照）。
【先行技術文献】
【特許文献】
【０００４】
【特許文献１】特開２００８−２５９５２７号公報
【特許文献２】特許第３５２７１１６号公報
【発明の概要】
【発明が解決しようとする課題】
【０００５】
しかしながら、近年のぱちんこ機は遊技の興趣を高めようと遊技領域を大きく確保するために遊技盤を下方に大きくしていることもあり、特許文献１の遊技機のように遊技盤の下部中央位置を固定する固定部材は、内枠側に設けられる球発射装置，発射レール等により設置する場所が限られてしまい、固定部材の最適な設置場所を確保するのが困難になっている。
【０００６】
また、特許文献２の遊技機にあっては、遊技盤側にファール球の逆流防止装置が設けられているため、遊技盤を交換した際には、逆流防止装置と内枠側に設けられる発射レールとの間隔にズレが生じてファール球がうまく処理されず、遊技球の発射に支障が生じるという問題があった。
【０００７】
また、遊技盤の固定部材と逆流防止装置が別個に設けられることになるため、部品点数が増えコスト高になるのはもちろんのこと、組付け工程が煩雑になり作業効率を悪化させるという問題があった。
【０００８】
本発明の目的は、このような問題に鑑みてなされたものであり、遊技盤保持部材で遊技盤を保持すると同時にファール球の発射レール側への戻りを防止することができる遊技機を提供するものである。
【課題を解決するための手段】
【０００９】
上記目的を達成するために、本発明は、発射位置から発射された遊技球が通過する発射領域及び該発射領域から放出された遊技球が流下する遊技領域がガイドレールにより形成される遊技盤と、該遊技盤が装着される内枠とを備え、前記内枠は、遊技盤を前面側から装着する遊技盤装着部と、該遊技盤装着部への遊技盤の装着を可能とする遊技盤装着可能形態と遊技盤装着部に装着された遊技盤を保持する遊技盤保持形態とを切替可能である遊技盤保持部材を備える遊技機であって、前記内枠の前面には、発射位置の遊技球を前記遊技領域へ発射する球発射装置と、該球発射装置によって発射された遊技球を前記発射領域に向けて案内可能な発射レールと、前記球発射装置により発射されたにもかかわらず前記遊技領域に到達しなかったファール球を受け入れるファール口が設けられ、前記遊技盤保持部材は、前記遊技盤装着部に装着された遊技盤の盤面と当接し該遊技盤を保持する遊技盤固定部と、前記遊技盤の盤面と交差する方向に所定の高さを有し前記ファール球が前記発射位置に戻るのを阻止して前記ファール口に案内する戻り球阻止部とを備え、前記遊技盤保持部材が遊技盤保持形態のとき、前記戻り球阻止部は前記ファール口の近傍であり前記発射レールの先端側上方に位置し、前記球発射装置により発射された遊技球の通過を許容すると共に、ファール球をファール口に案内して前記発射位置に戻るのを阻止してするようにしたことを特徴とする。
【００１０】
ここでいう発射レールとは、遊技球の発射位置から手動又は電動により打ち出された遊技球を遊技盤側のガイドレールの着地点に誘導するレールであり、打球槌等がユニット化された球発射装置に設けられるもの、球発射装置が装着される内枠に別体又は一体に設けられるものを含む。当然のことながら、発射レールを球発射装置と内枠とに分割して設けるようにしてもよい。また、ガイドレールは、遊技球を誘導し得る所定の幅員を有するものであり、バンド状のステンレスであっても合成樹脂製であってもよく、さらには遊技領域に設けられる盤面部品と一体に形成したものであってもよい。
【００１１】
また、前記内枠には、前記遊技盤保持部材が遊技盤装着部への遊技盤の装着を可能とする遊技盤装着可能形態と装着された遊技盤を保持する遊技盤保持形態との位置で当接し位置決めする規制部を設けた。これにより、遊技盤装着可能形態と遊技盤保持形態との位置決めが確実なものとなる。
【００１２】
また、前記遊技盤保持部材は前記内枠に回動自在に設けられ、前記戻り球阻止部は前記遊技盤保持部材の回動軸を中心とした円弧状に形成される。これにより、ファール球が戻り球阻止部に当たっても衝撃は回動軸に向かうため、衝撃により遊技盤保持部材を回動させるような作用力が働くことはなく、遊技盤保持形態を安定した状態で維持することができる。
【００１３】
また、前記遊技盤保持部材が遊技盤保持形態のとき、前記遊技盤保持部材と前記ガイドレールとの最短間隔が遊技球の直径よりも小さくした。これにより、ファール球がアウト口側に行くことはなく、確実にファール球をファール口に案内することができる。
【００１４】
また、前記遊技盤保持部材は、前記遊技盤を保持する遊技盤保持形態のとき、前記発射レールと対向位置して前記球発射装置によって発射される遊技球をガイドするガイド部を備えるようにしてもよい。これにより、遊技球を遊技領域に向けて安定した状態で発射させることができる。
【００１５】
また、前記遊技盤保持部材は、前記遊技盤装着可能形態において、前記球発射装置の一部と重合して該球発射装置を仮止めするようにしてもよい。これにより、球発射装置の組み付けの作業性を向上させることができる。
【００１６】
また、前記遊技盤保持部材は、前記遊技盤装着可能形態において、前記球発射装置から発射された遊技球の軌道上にその一部が位置し、遊技盤保持形態でその軌道上から後退するようにしてもよく、遊技盤装着可能形態で遊技球の遊技盤の遊技領域への到達を阻害し、遊技盤の内枠への未保持状態での遊技を防止することができる。そして、遊技盤装着可能形態で発射されたすべての遊技球が遊技領域に到達せずファール球となることにより、遊技盤が内枠に対して未保持状態であることを確認できるので、遊技者が意図したところへ遊技球を発射できないという不愉快な思いや、遊技盤の未保持状態により遊技球がアウト球になってしまうという遊技者に不利になるような状況を未然に防ぐことができる。
【発明の効果】
【００１７】
そして、本発明によれば、発射レールが設けられる内枠側に遊技盤を保持する遊技盤保持部材を設け、この遊技盤保持部材に球発射装置により発射されたにもかかわらず遊技領域に到達しなかったファール球が発射位置へ戻るのを阻止する戻り球阻止部を備えることで、別途遊技球の逆流防止装置を設けることがなく、部品点数を増やすことなくコストの削減が図れるとともに、設計、組み付け作業等の手間を省くことができる。また、内枠側に発射レールと戻り球阻止部が設けられることになるので、遊技盤保持形態において発射レールと戻り球阻止部の位置関係が常に一定となり、遊技盤を交換したとしてもファール球が発射位置へ戻るのを確実に阻止することができる。
【図面の簡単な説明】
【００１８】
【図１】本発明の遊技機の斜視図である。
【図２】前面枠を外した状態の正面図である。
【図３】（ａ）は遊技盤保持部材の斜視図、（ｂ）は遊技盤保持部材の裏面斜視図である。
【図４】内枠から遊技盤を外した状態の要部正面図である。
【図５】内枠に遊技盤を装着した状態の要部正面図である。
【図６】図５のＸ−Ｘ線断面図である。
【図７】内枠に遊技盤を装着した状態の他の実施例を示す要部正面図である。
【発明を実施するための形態】
【００１９】
以下に、この発明の実施形態を図面に基づいて説明する。本発明の遊技機（以下、ぱちんこ機ともいう）１は、図１に示すようにそのぱちんこ機１の外郭を形成する額縁状の外枠２を備え、その外枠２の一側でヒンジを介して軸支され、その前面側に向かって片開き可能に内枠３が支持されている。内枠３には、図２に示すようにガイドレール８により遊技領域５ａが形成された遊技盤５が装着され、その下方に球発射装置７が設けられている。また、内枠３の前面に遊技盤５の遊技領域５ａを視認し得る窓開口６が形成され、その窓開口６を覆うガラス等の透明板を備えた前面枠４が開閉自在に設けられている（図１参照）。そして、窓開口６の下方前面には、遊技球を貯留し、球受皿９が設けられている。球受皿９は、貯留した遊技球を整流して球発射装置７に供給する上皿９ａと上皿９ａの溢れ球を貯留する下皿９ｂを備えている。また、この球受皿９の右下側に遊技者の操作量に応じて遊技球の発射力を調節する球発射ハンドル１０が設けられている。
【００２０】
なお、本明細書において、ぱちんこ機１における上下方向とは遊技盤５の盤面に沿う態様で遊技領域５ａを遊技球が流下する方向（鉛直方向）を意味する。また、左右方向とは遊技盤５の盤面に沿う態様で上下方向に交差（直交）する方向（水平方向）を意味し、遊技者側からみて左側、右側をいう。また、前後方向とは遊技盤５の盤面に交差（直交）する方向（水平方向）を意味し、遊技盤５の遊技者側が前側であり、遊技盤５の奥側（遊技領域５ａの反対側）が後側である。
【００２１】
遊技盤５は、略方形状に形成され、遊技盤５の盤面（前面）には、図２に示すように内レール８ａ及び外レール８ｂで構成されるガイドレール８によって全体として略円形に区画された遊技領域５ａが形成されている。遊技領域５ａの中央には液晶表示部を備えた表示装置１５が搭載され、表示装置１５の下方（遊技領域５ａの中央下部）には入賞により液晶表示部を変動表示させる電動チューリップにて構成される始動口１６が配置されている。また、始動口１６の下方には電気的駆動源により扉が開閉する大入賞口１７（アタッカー）が配置され、遊技領域５ａの最下部にアウト口１８が設けられている。なお、内レール８ａと外レール８ｂが所定の間隔をもって重なることによって発射領域１９を形成しており、球発射装置７から発射された遊技球が発射領域１９を通過して遊技領域５ａに放出される。また、右側の遊技領域５ａ外に遊技盤５の装着時に後述する遊技盤固定部材１２が通過する開口１１が切欠又は貫通孔により形成されている。なお、ガイドレール８は、遊技球を誘導し得る所定の幅員を有するものであり、バンド状のステンレスであっても合成樹脂製であってもよく、さらには遊技領域５ａに設けられる大入賞口１７等の盤面部品と一体に形成したものであってもよい。
【００２２】
内枠３は、図２に示すように合成樹脂により縦長方形状に形成されると共に中央に窓部２１が開設された枠状に形成され、遊技盤５を前側から配置するように左右縦枠３ａ，３ｂ、上横枠３ｃとパネル状の下横枠３ｄとにより遊技盤装着部２５が形成されている。下横枠３ｄの前面には、遊技球を１球ずつ遊技領域５ａに向けて発射する球発射装置７を収納する収容凹部２８が形成され、この収容凹部２８に球発射装置７がビス装着される。球発射装置７は、図４及び図５に示すケース体２６に、打球槌７ａと、上皿９ａから発射位置Ｈに供給される遊技球をガイドレール８に向けて案内可能なレール部７ｂ（発射レール）とが設けられている。レール部７ｂは、ガイドレール８側の終端側が基端部（発射位置Ｈ側）より高くなるように傾斜状に設けられている。また、下横枠３ｄにはレール部７ｂと連通するように球発射装置７から発射された遊技球を遊技盤５側に導く発射レール２７が設けられている。そして、ガイドレール８（外レール８ｂ）より下流側（実施例では発射レール２７の上端と外レール８ｂの下端との間）に位置して球発射装置７にて発射されたにもかかわらず遊技領域５ａまで至らずガイドレール８（発射領域１９）を発射位置Ｈに向かって逆流するファール球を受け入れるファール口２９が形成され、ファール口２９から回収されたファール球を下皿９ｂに戻す回収通路部２３が設けられている。また、右縦枠３ｂには、内枠３及び前面枠４を施錠する施錠装置３０が設けられ、施錠装置３０に設けられるシリンダ錠３１を操作することにより、内枠３及び前面枠４を解錠できるようにしている。そして、左縦枠３ａには、遊技盤５の一側を保持するコ字状の保持部材３２が上下に所定の間隔をもって設けられている。さらに、右縦枠３ｂには、一側を保持部材３２で保持された遊技盤５を遊技盤装着部２５に固定する遊技盤固定部材１２が回動自在に設けられ、下横枠３ｄには遊技盤５の下部を固定保持する遊技盤保持部材１３が回動自在に設けられている。そして、球発射装置７に隣接した発射レール２７の上部に、この遊技盤保持部材１３が当接し回動を規制するリブ状の回動規制部３４が設けられている。
【００２３】
遊技盤固定部材１２は、遊技盤装着可能形態において、遊技盤５の開口１１を挿通可能でありかつ挿通後に回動操作することにより遊技盤保持形態となり、遊技盤５を保持するものである。遊技盤固定部材１２は、略長円の中央を支軸としてビスにより回動自在に設けられ、両端部で遊技盤５を固定保持するようにしている。
【００２４】
遊技盤保持部材１３は、図４及び図５に示すようにファール口２９の近傍であり発射レール２７の先端側上方に回動自在に設けられ、遊技盤装着可能形態の位置と遊技盤保持形態の位置との間で回動するようになっており、少なくとも図５に示す遊技盤保持形態の位置のとき発射レール２７との間隔は、遊技球の通過を許容する間隔を有している。また、遊技盤保持部材１３は、図３に示すように円筒状の軸支部３５と、この軸支部３５を端部として遊技盤５の盤面に対向し遊技盤装着部２５に装着された遊技盤５の盤面と当接して遊技盤５を保持する台形板状の遊技盤固定部３６と、回動軸線方向に所定の高さ（遊技球の球心を支持する高さ）を有する円弧状のリブ壁がファール球をファール口２９に案内する戻り球阻止部３７として形成されている。戻り球阻止部３７は、軸支部３５を中心とする円筒外周面となるように形成されている。そして、軸支部３５と戻り球阻止部３７の端部にかけて発射レール２７と略同じ高さを有する操作部３８が形成され、遊技盤保持形態の位置のとき、操作部３８の外壁が発射レール２７と対向して発射球のガイド部３８ａとなる。また、軸支部３５には内枠３に設けられた回動規制部３４に当接して遊技盤装着可能形態と遊技盤保持形態との間の回動を規制するリブ状の位置規制部４０が位置を違えて設けられている。遊技盤装着可能形態の回動を規制する第一規制部４０ａは操作部３８と共に遊技盤固定部３６の台形状の一辺となるように設けられ、遊技盤保持形態の回動を規制する第二規制部４０ｂは操作部３８を軸支部３５方向に延設するように軸支部３５から突出して設けられている。そして、遊技盤装着可能形態と遊技盤保持形態との間の回動を規制する第一及び第二規制部４０ａ，４０ｂが成す角度、つまり遊技盤保持部材１３が回動する角度は約１４０°となっている。
【００２５】
遊技盤保持部材１３は、遊技盤装着可能形態の位置のとき、図４に示すように第一規制部４０ａが回動規制部３４の上面に当接して操作部３８が遊技盤装着部２５の下横枠３ｄ上面と略平行状となり、遊技盤５が遊技盤装着部２５に装着可能となる。このとき遊技盤固定部３６の一部が球発射装置７のケース体２６に重合しており、球発射装置７を保持することが可能となり、球発射装置７の取付け時にケース体２６を仮押さえすることができるため、球発射装置７を取付けるビス着作業を簡単に行うことができる。次に、遊技盤装着部２５に遊技盤５を収納し遊技盤保持部材１３を図４に示す矢印方向（反時計廻り）に回動し、図５に示す遊技盤保持部材１３が遊技盤保持形態の位置のとき、第二規制部４０ｂが回動規制部３４の下面に当接して、遊技盤固定部３６で遊技盤５の前面を保持して遊技盤５の前面位置を正規位置に補正すると共にガイド部３８ａが発射レール２７と対向し、戻り球阻止部３７が遊技球の発射方向（発射領域１９側）に向けられて位置している。言い換えれば、戻り球阻止部３７が軸支部３５より発射レール２７の先端側に位置してガイドレール８（発射領域１９）を逆流するファール球と対向する位置にある。このとき、戻り球阻止部３７は、発射レール２７の終端よりもガイドレール８側に僅かに突出しており、戻り球阻止部３７の下端部の鉛直方向に発射レール２７の終端が位置している。このため、ガイドレール８を勢いよく逆流するファール球は、ファール口２９の上方において戻り球阻止部３７に当たって発射レール２７（発射位置Ｈ）又はアウト口１８側への流下が阻止され、衝突したファール球は発射レール２７上に落下することなくファール口２９に確実に案内される。したがって、ファール球が発射位置Ｈに戻ることはなく、球発射装置７から発射された後続の遊技球と衝突して発射ミスを繰り返し、発射位置Ｈに遊技球が連続して遊技球が発射できなくなり、遊技を中断させることはない。
【００２６】
遊技盤保持部材１３が遊技盤装着部２５に装着された遊技盤５を保持する遊技盤保持形態で、遊技盤保持部材１３の戻り球阻止部３７の下端と発射レール２７の終端部の上面との間隔は、発射レール２７からガイドレール８（発射領域１９）側への遊技球の通過を許容し、ガイドレール８側からのファール球の発射レール２７上への戻りを阻止し得る程度の間隔である。因みに、この間隔は、遊技球の直径（約１１ｍｍ）よりも大きくで、１５ｍｍ以下程度が好ましい。なお、戻り球阻止部３７の上端は、図５に示すようにファール球が遊技盤保持部材１３を乗り越えてアウト口１８側に行かないようにガイドレール８（内レール８ａ）に近接している。つまり、遊技盤保持部材１３が遊技盤保持形態の位置のとき、戻り球阻止部３７の上端とガイドレール８（内レール８ａ）との最短間隔Ｓは遊技球の直径（約１１ｍｍ）よりも小さくなるようにしている。
【００２７】
また、この状態で遊技盤保持部材１３によって遊技盤５が固定保持されるのは当然ながら、発射レール２７の近傍で遊技盤５の前面位置を規制（補正）するため、遊技盤５の前面と発射レール２７のずれがなく発射レール２７とガイドレール８との適正な位置関係が保たれ、発射位置Ｈから発射された遊技球の着座位置が安定することにより遊技球の軌道が安定するので、発射のばらつきのない遊技機を提供することができる。また、ガイド部３８ａにより発射球がガイドされ、しかも戻り球阻止部３７によって、球発射装置７にて発射されたにもかかわらず遊技領域５ａまで到達せずに戻る遊技球が、戻り方向の慣性力が強く直接ファール口２９に回収されず発射レール２７（アウト口１８）側に戻ろうとしても、戻り球阻止部３７に当接してファール口２９に導かれ、ファール球をファール口２９から回収通路部２３を介して下皿９ｂに速やかに回収することができる。このとき、戻り球阻止部３７が軸支部３５を中心とした円弧面で形成されていることから、ファール球の衝撃は軸支部３５で受けられることになり、衝撃で遊技盤保持部材１３を回動させる力が働くことがないため、確実に遊技盤保持形態を維持することができる。このように、内枠３に遊技盤保持部材１３を設けることにより、遊技盤５側にファール球の逆流防止装置を別途設ける必要がないため、部品点数も少なくでき、しかも遊技盤５の装着時においてファール球を確実に処理することができる。また、遊技盤装着部２５への遊技盤５の装着を可能とする遊技盤装着可能形態の位置で、回動規制部３４によりガイド部３８ａが遊技盤５の下面（遊技盤装着部２５上面）と略平行な状態に回動位置が規制され、遊技盤固定部３６によって球発射装置７のケース体２６を押さえているため、内枠３に球発射装置７を装着する際の仮止めとしての機能を果たすことができ、球発射装置７の組付けを効率よく行うことができる。また、遊技盤保持部材１３によって球発射装置７を仮止め係合させることにより、内枠３への取付けの正確性及び容易性が確保されると共に、その仮止めにより自動機やロボットによる螺着等の取付生産方式が可能となる。
【００２８】
なお、遊技盤保持部材１３の遊技盤固定部３６の遊技盤当接面に回動規制用の小突起を設け、内枠３側（球発射装置７を含む）には遊技盤装着可能形態の位置で小突起が係合する凹部を形成し、遊技盤５には遊技盤保持形態の位置で小突起が係合する凹部を形成して、遊技盤装着可能形態及び遊技盤保持形態のそれぞれの位置で遊技盤保持部材１３を安定して保持するようにしてもよい。
【００２９】
また、図７に示すように、ファール口２９は発射レール２７の中途に開口して設けるようにしてもよく、遊技盤保持部材１３が遊技盤保持形態のとき、前記戻り球阻止部はファール口２９の近傍上方に位置し、球発射装置７により発射された遊技球の通過を許容すると共に、ファール球をファール口２９に案内して発射位置Ｈに戻るのを阻止することができる。
【００３０】
また、遊技盤保持部材１３は、図７に示す球阻止部３７下流側にファール口２９を設けた場合には、図７下図仮想線に示すように遊技盤装着可能形態において、球発射装置７から発射された遊技球の軌道上にその一部（図上第二規制部４０ｂ）が位置するようにしてもよく、球発射装置７から発射された遊技球が、遊技球の遊技盤５の遊技領域５ａへ到達するのを阻害して、球発射装置７から発射された遊技球をファール口２９に案内して球受皿９に回収するので、遊技盤保持部材１３を留め忘れることがなくなり、遊技盤５の内枠３への未保持状態での遊技を防止することができる。そして、発射された遊技球がすべてファール球となる（遊技領域５ａに到達しない）ことにより、遊技盤５の内枠３への未保持状態（遊技盤保持部材の留め忘れ）であることを確認できるので、遊技者が意図したところへ遊技球を発射できないという不愉快な思いや、遊技球がアウト球になってしまうという遊技者に不利になるような状況を未然に防ぐことができる。
【００３１】
なお、遊技機としてぱちんこ機について説明したが、アレンジボール機，雀球機等の弾球遊技機においても実施可能である。また、この発明は上記実施の形態に限定されるものではなく、例えば内枠に設けられる遊技盤保持部材をスライド自在として遊技盤装着可能形態と遊技盤保持形態とを切替可能に設けるようにしてもよく、この発明の要旨を逸脱しない範囲で、種々の形態を実施し得るものである。
【符号の説明】
【００３２】
１            ぱちんこ機（遊技機）
３            内枠
５            遊技盤
５ａ          遊技領域
７            球発射装置
８            ガイドレール
１３          遊技盤保持部材
２５          遊技盤装着部
２７          発射レール
２９          ファール口
３４          回動規制部（規制部）
３５          軸支部
３６          遊技盤固定部
３７          戻り球阻止部
３８ａ        ガイド部
４０          位置規制部
４０ａ        第一規制部
４０ｂ        第二規制部
Ｈ            発射位置
【図１】
2011188973.tif 000003
【図２】
2011188973.tif 000004
【図３】
2011188973.tif 000005
【図４】
2011188973.tif 000006
【図５】
2011188973.tif 000007
【図６】
2011188973.tif 000008
【図７】
2011188973.tif 000009